【手続補正書】
【提出日】平成15年5月19日(2003.5.19)
【手続補正１】
【補正対象書類名】明細書
【補正対象項目名】特許請求の範囲
【補正方法】変更
【補正の内容】
【特許請求の範囲】
【請求項１】
非ヒト動物で発現され、そしてＰｓｅｕｄｏｍｏｎａｓ  ａｅｒｕｇｉｎｏｓａ  ＬＰＳに特異的に結合する、単離されたヒト抗体またはその抗原結合部分。
【請求項２】
前記ヒト抗体がモノクローナル抗体である、請求項１に記載の単離されたヒト抗体またはその抗原結合部分。
【請求項３】
前記抗体またはその一部が、Ｐｓｅｕｄｏｍｏｎａｓ  ａｅｒｕｇｉｎｏｓａ細胞についてオプソニン作用性である、請求項１または請求項２に記載の単離されたヒト抗体またはその抗原結合部分。
【請求項４】
前記抗体またはその一部が、Ｐｓｅｕｄｏｍｏｎａｓ  ａｅｒｕｇｉｎｏｓａ細胞の食作用を促進する、請求項３に記載の単離されたヒト抗体またはその抗原結合部分。
【請求項５】
前記抗体またはその一部が、Ｐｓｅｕｄｏｍｏｎａｓ  ａｅｒｕｇｉｎｏｓａに対する免疫応答を強化する、請求項１または請求項２に記載の単離されたヒト抗体またはその抗原結合部分。
【請求項６】
前記抗体またはその一部が、Ｐｓｅｕｄｏｍｏｎａｓ  ａｅｒｕｇｉｎｏｓａ細胞の死滅を促進する、請求項１または請求項２に記載の単離されたヒト抗体またはその抗原結合部分。
【請求項７】
前記Ｐｓｅｕｄｏｍｏｎａｓ  ａｅｒｕｇｉｎｏｓａ細胞の死滅の促進が、該Ｐｓｅｕｄｏｍｏｎａｓ  ａｅｒｕｇｉｎｏｓａ細胞に対して致死性である試薬の送達を含む、請求項６に記載の単離されたヒト抗体またはその抗原結合部分。
【請求項８】
前記Ｐｓｅｕｄｏｍｏｎａｓ  ａｅｒｕｇｉｎｏｓａ細胞の死滅の促進が、該Ｐｓｅｕｄｏｍｏｎａｓ  ａｅｒｕｇｉｎｏｓａに対する免疫応答の強化を含む、請求項６に記載の単離されたヒト抗体またはその抗原結合部分。
【請求項９】
前記抗体またはその抗原結合部分が、Ｐｓｅｕｄｏｍｏｎａｓ  ａｅｒｕｇｉｎｏｓａ感染を阻害する、請求項１または請求項２に記載の単離されたヒト抗体またはその抗原結合部分。
【請求項１０】
前記抗体またはその抗原結合部分が、Ｐｓｅｕｄｏｍｏｎａｓ  ａｅｒｕｇｉｎｏｓａ  ＬＰＳに対して、５×１０−７Ｍから１×１０−７ＭのＫｄで結合する、請求項１または請求項２に記載の単離されたヒト抗体またはその抗原結合部分。
【請求項１１】
前記抗体またはその抗原結合部分が、Ｐｓｅｕｄｏｍｏｎａｓ  ａｅｒｕｇｉｎｏｓａ  ＬＰＳに対して、１×１０−７Ｍから５×１０−８ＭのＫｄで結合する、請求項１０に記載の単離されたヒト抗体またはその抗原結合部分。
【請求項１２】
前記抗体またはその抗原結合部分が、Ｐｓｅｕｄｏｍｏｎａｓ  ａｅｒｕｇｉｎｏｓａ  ＬＰＳに対して、５×１０−８Ｍから１×１０−８ＭのＫｄで結合する、請求項１０に記載の単離されたヒト抗体またはその抗原結合部分。
【請求項１３】
前記Ｐｓｅｕｄｏｍｏｎａｓ  ａｅｒｕｇｉｎｏｓａ  ＬＰＳが、０６ａｄ、０１１、Ｈａｂｓ１６、１７０００３、およびＰＡ０１  Ｈａｌｌｏｗａｙからなる群より選択されるＰｓｅｕｄｏｍｏｎａｓ  ａｅｒｕｇｉｎｏｓａ株由来である、請求項１または請求項２に記載の単離されたヒト抗体またはその抗原結合部分。
【請求項１４】
前記抗体またはその抗原結合部分が、１時間から３０日の間のインビボでの半減期を有する、請求項１または請求項２に記載の単離されたヒト抗体またはその抗原結合部分。
【請求項１５】
前記抗体またはその抗原結合部分が、１６日から３０日の間のインビボでの半減期を有する、請求項１４に記載の単離されたヒト抗体またはその抗原結合部分。
【請求項１６】
前記抗体またはその抗原結合部分が、１時間から１５日の間のインビボでの半減期を有する、請求項１４に記載の単離されたヒト抗体またはその抗原結合部分。
【請求項１７】
前記抗体が、免疫グロブリンＧ（ＩｇＧ）、ＩｇＭ、ＩｇＥ、ＩｇＡ、およびＩｇＤからなる群より選択される重鎖イソ型を有する免疫グロブリン分子であるかまたは該免疫グロブリン分子に由来する、請求項１または請求項２に記載の単離されたヒト抗体またはその抗原結合部分。
【請求項１８】
前記ＩｇＧが、ＩｇＧ１、ＩｇＧ２、ＩｇＧ３、およびＩｇＧ４からなる群より選択されるサブタイプである、請求項１７に記載の単離されたヒト抗体。
【請求項１９】
前記抗体またはその一部が標識されている、請求項１または請求項２に記載の単離されたヒト抗体またはその抗原結合部分。
【請求項２０】
前記標識が、放射標識、酵素標識、蛍光標識、毒素、磁気因子、２次抗体、親和性標識、エピトープタグ、抗生物質、補体タンパク質、およびサイトカインからなる群より選択される、請求項１９に記載の単離されたヒト抗体またはその抗原結合部分。
【請求項２１】
κ軽鎖およびそのフレームワーク配列を含む、請求項１または請求項２に記載の単離されたヒト抗体またはその抗原結合部分。
【請求項２２】
前記κ軽鎖の前記フレームワーク配列が、ヒトＶｋ２／Ａ２遺伝子によってコードされる、請求項２１に記載の単離されたヒト抗体またはその抗原結合部分。
【請求項２３】
前記κ軽鎖が、生殖細胞系Ｖｋ２／Ａ２遺伝子によってコードされるκ軽鎖からの、７個から１５個の間のアミノ酸変化を含む、請求項２１に記載の単離されたヒト抗体またはその抗原結合部分。
【請求項２４】
前記κ軽鎖が、生殖細胞系Ｖｋ２／Ａ２遺伝子によってコードされるκ軽鎖からの、６個未満のアミノ酸変化を含む、請求項２１に記載の単離されたヒト抗体またはその抗原結合部分。
【請求項２５】
前記κ軽鎖が、生殖細胞系Ｖｋ２／Ａ２遺伝子によってコードされるκ軽鎖からの、３個未満のアミノ酸変化を含む、請求項２４に記載の単離されたヒト抗体またはその抗原結合部分。
【請求項２６】
前記κ軽鎖が配列番号４のアミノ酸配列を含む、請求項２１に記載の単離されたヒト抗体またはその抗原結合部分。
【請求項２７】
前記軽鎖が配列番号３の核酸配列によってコードされる、請求項２１に記載の単離されたヒト抗体またはその抗原結合部分。
【請求項２８】
λ軽鎖を含む、請求項１または請求項２に記載の単離されたヒト抗体またはその抗原結合部分。
【請求項２９】
可変領域（Ｖ）、多様性領域（Ｄ）、および結合領域（Ｊ）から構成され、そしてそのフレームワーク配列から構成される重鎖を含む、請求項１または請求項２に記載の単離されたヒト抗体またはその抗原結合部分。
【請求項３０】
前記重鎖の前記可変領域がヒトＶＨ３／Ｖ３−３３遺伝子によってコードされる、請求項２９に記載の単離されたヒト抗体またはその抗原結合部分。
【請求項３１】
前記重鎖の前記多様性領域がヒトＤ２−８遺伝子によってコードされる、請求項２９に記載の単離されたヒト抗体またはその抗原結合部分。
【請求項３２】
前記重鎖の前記連結領域がヒトＪＨ４ｂ遺伝子によってコードされる、請求項２９に記載の単離されたヒト抗体またはその抗原結合部分。
【請求項３３】
前記可変領域が、生殖細胞系ＶＨ３／Ｖ３−３３遺伝子によってコードされる可変領域からの、７個から１５個の間アミノ酸変化を含む、請求項２９に記載の単離されたヒト抗体またはその抗原結合部分。
【請求項３４】
前記重鎖が、生殖細胞系ＶＨ３／Ｖ３−３３遺伝子によってコードされる可変領域からの、６個未満のアミノ酸変化を含む、請求項２９に記載の単離されたヒト抗体またはその抗原結合部分。
【請求項３５】
前記重鎖が、生殖細胞系ＶＨ３／Ｖ３−３３遺伝子によってコードされる可変領域からの、３個未満のアミノ酸変化を含む、請求項２９に記載の単離されたヒト抗体またはその抗原結合部分。
【請求項３６】
前記重鎖が配列番号２のアミノ酸配列を含む、請求項１または請求項２に記載の単離されたヒト抗体またはその抗原結合部分。
【請求項３７】
前記重鎖が配列番号１の核酸配列によってコードされる、請求項１または請求項２に記載の単離されたヒト抗体またはその抗原結合部分。
【請求項３８】
Ｆａｂフラグメント、Ｆ（ａｂ’）２フラグメント、およびＦｖフラグメントからなる群より選択される抗原結合ドメインを含む、請求項１または請求項２に記載の単離されたヒト抗体またはその抗原結合部分。
【請求項３９】
前記抗体が単鎖抗体である、請求項１または請求項２に記載の単離されたヒト抗体またはその抗原結合部分。
【請求項４０】
前記抗体がキメラ抗体である、請求項１または請求項２に記載の単離されたヒト抗体またはその抗原結合部分。
【請求項４１】
異なるヒト抗体由来のフレームワーク領域およびＣＤＲ領域を含む、請求項４０に記載のキメラ抗体。
【請求項４２】
前記キメラ抗体が二重特異的である、請求項４０に記載のキメラ抗体。
【請求項４３】
前記キメラ抗体が、Ｐｓｅｕｄｏｍｏｎａｓ  ａｅｒｕｇｉｎｏｓａ  ＬＰＳおよび以下からなる群より選択される標識について二重特異的である、請求項４２に記載のキメラ抗体：放射標識分子、酵素標識、蛍光標識、毒素、磁気因子、２次抗体、親和性標識、エピトープタグ、抗生物質、補体タンパク質、およびサイトカイン。
【請求項４４】
前記抗体またはその一部が誘導体化されている、請求項１または請求項２に記載の単離されたヒト抗体またはその抗原結合部分。
【請求項４５】
前記抗体またはその一部が、ポリエチレングリコール、少なくとも１つのメチル基もしくはエチル基、または少なくとも１つの炭水化物部分で誘導体化されている、請求項４４に記載の単離されたヒト抗体またはその抗原結合部分。
【請求項４６】
請求項１または請求項２に記載の抗体またはその抗原結合部分、および薬学的に受容可能なキャリアを含有する、薬学的組成物。
【請求項４７】
請求項１または請求項２に記載の抗体またはその抗原結合部分、薬学的に受容可能なキャリア、および容器を備える、キット。
【請求項４８】
使用のための説明書をさらに備える、請求項４７に記載のキット。
【請求項４９】
請求項１に記載の単離されたヒト抗体を、Ｐｓｅｕｄｏｍｏｎａｓ  ａｅｒｕｇｉｎｏｓａ感染の危険があるかまたはＰｓｅｕｄｏｍｏｎａｓ  ａｅｒｕｇｉｎｏｓａに現在感染している患者に投与する工程を包含する、Ｐｓｅｕｄｏｍｏｎａｓ  ａｅｒｕｇｉｎｏｓａ感染を処置または予防するための方法。
【請求項５０】
前記ヒト抗体がモノクローナル抗体である、請求項４９に記載の方法。
【請求項５１】
前記投与が、注射手段、経粘膜手段、経口手段、吸入手段、眼内手段、直腸手段、長期作用性移植手段、リポソーム手段、乳濁剤手段、クリーム剤手段、局所的手段、または徐放手段によって実施される、請求項４９に記載の方法。
【請求項５２】
前記抗体が第２のタンパク質との融合体である、請求項４９に記載の方法。
【請求項５３】
前記抗体が、放射標識、毒素、補体タンパク質、サイトカイン、または抗生物質で標識されている、請求項４９に記載の方法。
【請求項５４】
前記第２のタンパク質が、毒性ペプチド部分、補体タンパク質、放射標識タンパク質、サイトカイン、または抗生物質タンパク質からなる群より選択される、請求項５２に記載の方法。
【請求項５５】
前記患者が、熱傷患者、手術患者、プロテーゼレシピエント、呼吸患者、癌患者、嚢胞性繊維症患者、または免疫無防備状態の患者である、請求項４９に記載の方法。
【請求項５６】
前記薬学的組成物がさらに、毒素、補体タンパク質、放射標識タンパク質、サイトカイン、抗生物質、またはそれらの任意の組合せを含む、請求項４９に記載の方法。
【請求項５７】
請求項１または請求項２に記載の抗体を産生する、単離された細胞株。
【請求項５８】
前記細胞株がハイブリドーマである、請求項５７に記載の細胞株。
【請求項５９】
以下の工程を包含する、Ｐｓｅｕｄｏｍｏｎａｓ  ａｅｒｕｇｉｎｏｓａ  ＬＰＳに特異的に結合する単離されたヒト抗体またはその抗原結合部分を産生する、方法：
ａ）該抗体が産生される条件下で該抗体を産生することができる非ヒト細胞を培養する工程：
ｂ）該細胞培養物から該抗体を単離する工程。
【請求項６０】
前記細胞がハイブリドーマである、請求項５９に記載の方法。
【請求項６１】
前記細胞が、前記ヒト抗体またはその抗原結合部分をコードする単離された核酸分子で形質転換され、そして該細胞が、細菌細胞、酵母細胞、昆虫細胞、両生類細胞、および哺乳動物細胞からなる群より選択される、請求項５９に記載の方法。
【請求項６２】
前記哺乳動物細胞が、ヒト細胞、マウス細胞、ラット細胞、イヌ細胞、サル細胞、ヤギ細胞、ブタ細胞、ウシ細胞、およびハムスター細胞からなる群より選択される、請求項６１に記載の方法。
【請求項６３】
前記哺乳動物細胞が、ＨｅＬａ細胞、ＮＩＨ  ３Ｔ３細胞、ＣＨＯ細胞、ＢＨＫ細胞、ＶＥＲＯ細胞、ＣＶ−１細胞、ＮＳ／０細胞、およびＣＯＳ細胞からなる群より選択される、請求項６１に記載の方法。
【請求項６４】
以下の工程を包含する、Ｐｓｅｕｄｏｍｏｎａｓ  ａｅｒｕｇｉｎｏｓａ  ＬＰＳに特異的に結合する単離されたヒト抗体またはその抗原結合部分を作製するための、方法：
ａ）ヒト免疫グロブリン遺伝子座が組み込まれた非ヒト動物を、Ｐｓｅｕｄｏｍｏｎａｓ  ａｅｒｕｇｉｎｏｓａの抗原性組成物で免疫する工程；
ｂ）該非ヒト動物の、該抗原性組成物に対する体液性応答を増大させる工程；および
ｃ）該非ヒト動物から該ヒト抗体を単離する工程。
【請求項６５】
Ｐｓｅｕｄｏｍｏｎａｓ  ａｅｒｕｇｉｎｏｓａ  ＬＰＳに特異的に結合するヒト抗体の重鎖またはその抗原結合部分をコードする、非ヒト動物から単離された核酸分子。
【請求項６６】
前記核酸分子が前記ヒト抗体を産生するハイブリドーマから単離される、請求項６５に記載の単離された核酸分子。
【請求項６７】
配列番号 のヌクレオチド配列を有するＰｓｅｕｄｏｍｏｎａｓ  ａｅｒｕｇｉｎｏｓａ  ＬＰＳに特異的に結合する、ヒト抗体の重鎖またはその抗原結合部分をコードする、単離された核酸分子またはそのフラグメント。
【請求項６８】
前記フラグメントが、前記ヒト抗体の１個から３個のＣＤＲ領域をコードする配列を含む、請求項６７に記載の単離された核酸分子。
【請求項６９】
請求項６５〜６８のいずれか１項に記載の核酸分子またはそのフラグメントを含有する、ベクター。
【請求項７０】
前記ベクターがさらに、前記核酸に作動可能に連結された発現制御配列を含む、請求項６９に記載のベクター。
【請求項７１】
Ｐｓｅｕｄｏｍｏｎａｓ  ａｅｒｕｇｉｎｏｓａ  ＬＰＳに特異的に結合するヒト抗体の軽鎖またはその抗原結合部分をコードする、非ヒト動物から単離された核酸分子。
【請求項７２】
前記核酸分子が、前記ヒト抗体を産生するハイブリドーマから単離される、請求項７１に記載の単離された核酸分子。
【請求項７３】
配列番号３のヌクレオチド配列を有するＰｓｅｕｄｏｍｏｎａｓ  ａｅｒｕｇｉｎｏｓａ  ＬＰＳに特異的に結合するヒト抗体の軽鎖またはその抗原結合部分をコードする、単離された核酸分子またはそのフラグメント。
【請求項７４】
前記フラグメントが、前記ヒト抗体の１個から３個のＣＤＲ領域をコードする配列を含む、請求項７１に記載の単離された核酸分子。
【請求項７５】
請求項７１〜７４のいずれか１項に記載の核酸分子を含有する、ベクター。
【請求項７６】
前記ベクターがさらに、前記核酸に作動可能に連結された発現制御配列を含む、請求項７５に記載のベクター。
【請求項７７】
以下を含有する、単離された宿主細胞：
ａ）非ヒト動物から単離され、そしてＰｓｅｕｄｏｍｏｎａｓ  ａｅｒｕｇｉｎｏｓａ  ＬＰＳに特異的に結合する、ヒト抗体の軽鎖またはその抗原結合部分をコードする、核酸分子；あるいは
ｂ）該核酸分子を含有する、ベクター。
【請求項７８】
以下を含有する、単離された宿主細胞：
ａ）非ヒト動物から単離され、そしてＰｓｅｕｄｏｍｏｎａｓ  ａｅｒｕｇｉｎｏｓａ  ＬＰＳに特異的に結合する、ヒト抗体の重鎖またはその抗原結合部分をコードする、核酸分子；あるいは
ｂ）該核酸分子を含有する、ベクター。
【請求項７９】
以下を含有する、単離された宿主細胞：
ａ）非ヒト動物から単離されそして重鎖またはその抗原結合部分をコードする核酸分子、およびＰｓｅｕｄｏｍｏｎａｓ  ａｅｒｕｇｉｎｏｓａ  ＬＰＳに特異的に結合するヒト抗体の軽鎖またはその抗原結合部分をコードする単離された核酸分子；あるいは
ｂ）該核酸分子を含有する、単数または複数のベクター。
【請求項８０】
前記細胞が、ハイブリドーマ細胞、細菌細胞、酵母細胞、昆虫細胞、両生類細胞、および哺乳動物細胞からなる群より選択される、請求項７７〜７９のいずれか１項に記載の単離された宿主細胞。
【請求項８１】
前記哺乳動物細胞が、ヒト細胞、マウス細胞、ラット細胞、イヌ細胞、サル細胞、ヤギ細胞、ブタ細胞、ウシ細胞、およびハムスター細胞からなる群より選択される、請求項８０に記載の宿主細胞。
【請求項８２】
前記哺乳動物細胞が、ＨｅＬａ細胞、ＮＩＨ  ３Ｔ３細胞、ＣＨＯ細胞、ＢＨＫ細胞、ＶＥＲＯ細胞、ＣＶ−１細胞、ＮＳ／０細胞、およびＣＯＳ細胞からなる群より選択される、請求項８０に記載の方法。
【請求項８３】
請求項７７〜８１のいずれか１項に記載の宿主細胞を、前記核酸分子が発現される条件下で培養する工程を包含する、非ヒト動物から同定されそしてＰｓｅｕｄｏｍｏｎａｓ  ａｅｒｕｇｉｎｏｓａ  ＬＰＳに特異的に結合するヒト抗体の、重鎖またはその抗原結合部分、軽鎖またはその抗原結合部分、あるいは軽鎖および重鎖の両方またはそれらの抗原結合部分を組換え産生する、方法。
【請求項８４】
請求項６７に記載の核酸分子によってコードされるか、または請求項７８に記載の宿主細胞から単離される、請求項１または請求項２に記載の抗体から得られた、単離された重鎖またはその抗原結合部分。
【請求項８５】
請求項７３に記載の核酸分子によってコードされるか、または請求項７７に記載の宿主細胞から単離される、請求項１または請求項２に記載の抗体から得られた、単離された軽鎖またはその抗原結合部分。
【請求項８６】
請求項６７に記載の核酸分子を含有する非ヒトトランスジェニック動物であって、該非ヒトトランスジェニック動物が前記核酸分子を発現する、非ヒトトランスジェニック動物。
【請求項８７】
請求項７３に記載の核酸分子を含有する非ヒトトランスジェニック動物であって、前記非ヒトトランスジェニック動物が前記核酸分子を発現する、非ヒトトランスジェニック動物。
【請求項８８】
Ｐｓｅｕｄｏｍｏｎａｓ  ａｅｒｕｇｉｎｏｓａ  ＬＰＳに特異的に結合するヒト抗体の重鎖またはその抗原結合部分をコードする単離された核酸分子、および該ヒト抗体の軽鎖またはその抗原結合部分をコードする単離された核酸分子を含有する非ヒトトランスジェニック動物であって、ここで、該動物が該核酸分子を発現する、非ヒトトランスジェニック動物。
【請求項８９】
前記動物が、マウス、ラット、ハムスター、ウシ、ヒツジ、霊長類、ウマ、およびブタからなる群より選択される、請求項８６〜８８のいずれか１項に記載の、非ヒトトランスジェニック動物。
【請求項９０】
前記単離された核酸分子またはその一部の発現によって生じたヒト抗体が、前記動物のＢリンパ球細胞またはその後代由来の細胞の表面上で発現される、請求項８６〜８８のいずれか１項に記載の非ヒトトランスジェニック動物。
【請求項９１】
前記単離された核酸分子またはその一部の発現によって生じたヒト抗体が、前記動物のリンパ液、血液、乳汁、唾液、または腹水中に分泌される、請求項８６〜８８のいずれか１項に記載の非ヒトトランスジェニック動物。
【請求項９２】
請求項１または請求項２に記載の単離されたヒト抗体またはその抗原結合部分、および第２のポリペプチド配列を含有する、融合タンパク質。
【請求項９３】
前記第２のポリペプチド配列が、エピトープタグ、親和性タグ、毒性ポリペプチド、抗生物質、酵素、２次抗体配列、補体タンパク質、およびサイトカインからなる群より選択される、請求項９２に記載の融合タンパク質。
【請求項９４】
前記抗体の前記重鎖イソ型が、μ、γ、δ、ε、またはαである、請求項１または請求項２に記載の単離されたヒト抗体またはその抗原結合部分。
【請求項９５】
前記抗体の血清半減期を増大させる１個から１０個の間のアミノ酸置換を含有する、請求項８４に記載の単離された重鎖またはその抗原結合部分。
【請求項９６】
前記抗体の血清半減期を増大させる１個から１０個の間のアミノ酸置換を含有する、請求項８５に記載の単離された軽鎖またはその抗原結合部分。
【請求項９７】
以下の工程を包含するプロセスによって産生される、請求項１または請求項２に記載の単離されたヒト抗体またはその抗原結合部分：
ａ）ヒト免疫グロブリン遺伝子座を含有する非ヒト動物を、単離されたＰｓｅｕｄｏｍｏｎａｓ  ａｅｒｕｇｉｎｏｓａ  ＬＰＳ調製物、雄性Ｐｓｅｕｄｏｍｏｎａｓ  ａｅｒｕｇｉｎｏｓａ細胞調製物、弱毒化Ｐｓｅｕｄｏｍｏｎａｓ  ａｅｒｕｇｉｎｏｓａ細胞調製物、および死滅させたＰｓｅｕｄｏｍｏｎａｓ  ａｅｒｕｇｉｎｏｓａ細胞調製物からなる群より選択される抗原で免疫する工程；
ｂ）該非ヒト動物の、該抗原に対する免疫応答を増大させる工程；および
ｃ）該非ヒト動物から該抗体を単離する工程。
【請求項９８】
ヒトの生体材料が混入していない動物または細胞から単離される、請求項１または請求項２に記載の単離されたヒト抗体またはその抗原結合部分。
【請求項９９】
前記生体材料が、ウイルス、酵素、ホルモン、サイトカイン、レセプター、レセプターリガンド、免疫グロブリン、補体、核タンパク質、および細胞質シグナル伝達タンパク質からなる群より選択される、請求項９９に記載の単離されたヒト抗体またはその抗原結合部分。
【請求項１００】
前記ウイルスが、エプスタインバーウイルスまたはレトロウイルスである、請求項１００に記載の単離されたヒト抗体またはその抗原結合部分。
【請求項１０１】
アメリカンタイプカルチャーコレクション登録番号ＰＴＡ−４０７３を有する、Ｓ２０  ｍＡｂを産生するハイブリドーマ細胞株。
【請求項１０２】
請求項１０１に記載のハイブリドーマ細胞株によって産生される、モノクローナル抗体。
【請求項１０３】
Ｐｓｅｕｄｏｍｏｎａｓ  ａｅｒｕｇｉｎｏｓａ  ＬＰＳのＯ特異的側鎖に特異的に結合する、単離されたヒト抗体またはその抗原結合部分。
【請求項１０４】
前記Ｐｓｅｕｄｏｍｏｎａｓ  ａｅｒｕｇｉｎｏｓａ株が、０６ａｄ、０１１、Ｈａｂｓ１６、１７００３、およびＰＡ０１  Ｈａｌｌｏｗａｙからなる群より選択される、請求項１０３に記載の抗体またはその抗原結合部分。
【請求項１０５】
モノクローナルである、請求項１０３または１０４に記載の抗体またはその抗原結合部分。
【請求項１０６】
約１．０の相対的な結合力を有する、請求項１０３〜１０５のいずれか１項に記載の抗体または抗原結合部分。
【請求項１０７】
１つの株のＬＰＳのＯ特異的側鎖に結合し、そして他の４個の株のＬＰＳのＯ特異的側鎖には結合しない、請求項１０４に記載の抗体または抗原結合部分。
【請求項１０８】
Ｐｓｅｕｄｏｍｏｎａｓ  ａｅｒｕｇｉｎｏｓａ  ＰＡ０１株のＬＰＳのＯ特異的側鎖に特異的に結合する、ヒトモノクローナル抗体またはその抗原結合部分。
【請求項１０９】
ＩｇＭ抗体である、請求項１０８に記載のヒトモノクローナル抗体または抗原結合部分。
【請求項１１０】
ＡＴＣＣ登録番号ＰＴＡ−４０７５を有するハイブリドーマ細胞株によって産生される、請求項１０８に記載のヒトモノクローナル抗体または抗原結合部分。
【請求項１１１】
Ｐｓｅｕｄｏｍｏｎａｓ  ａｅｒｕｇｉｎｏｓａ  １７０００３株のＬＰＳのＯ特異的側鎖に特異的に結合する、ヒトモノクローナル抗体またはその抗原結合部分。
【請求項１１２】
ＩｇＭ抗体である、請求項１１１に記載のヒトモノクローナル抗体または抗原結合部分。
【請求項１１３】
ＡＴＣＣ登録番号ＰＴＡ−４０７４を有するハイブリドーマ細胞株によって産生される、請求項１１１に記載のヒトモノクローナル抗体またはその抗原結合部分。
【請求項１１４】
請求項１０８〜１１３のいずれか１項に記載の抗体の結合を阻害する、ヒトモノクローナル抗体またはその抗原結合部分。
【請求項１１５】
Ｐｓｅｕｄｏｍｏｎａｓ  ａｅｒｕｇｉｎｏｓａ  ＬＰＳのＯ特異的側鎖に特異的に結合し、図９に示されるＣＤＲ１、ＣＤＲ２、およびＣＤＲ３の１つ以上を含有する重鎖を含む、抗体またはその抗原結合部分。
【請求項１１６】
前記重鎖が、図９に示されるＣＤＲ３を含む、請求項１１５に記載の抗体または抗原結合部分。
【請求項１１７】
配列番号２に示されるアミノ酸配列を含有する、請求項１１５に記載の抗体または抗原結合部分。
【請求項１１８】
図１０に示されるＣＤＲ１、ＣＤＲ２、およびＣＤＲ３の１つ以上を含有する軽鎖を含む、Ｐｓｅｕｄｏｍｏｎａｓ  ａｅｒｕｇｉｎｏｓａ  ＬＰＳのＯ特異的側鎖に特異的に結合する、抗体またはその抗原結合部分。
【請求項１１９】
前記重鎖が、図１０に示されるＣＤＲ３を含む、請求項１１８に記載の抗体または抗原結合部分。
【請求項１２０】
配列番号４に示されるアミノ酸配列を含有する、請求項１１８に記載の抗体または抗原結合部分。
【請求項１２１】
請求項１、請求項１０２、請求項１０３、および請求項１１５〜１２０に記載の抗体または一部からなる群より選択される、１つ以上のヒトモノクローナル抗体またはその抗原結合部分を含有し、Ｐｓｅｕｄｏｍｏｎａｓ  ａｅｒｕｇｉｎｏｓａ感染の予防または阻害のための、受動性ワクチン。
【請求項１２２】
２つ以上のヒトモノクローナル抗体またはその抗原結合部分を含有しており、ここで、該ヒトモノクローナル抗体または一部が、Ｐｓｅｕｄｏｍｏｎａｓ  ａｅｒｕｇｉｎｏｓａの異なる株に特異的に結合する、請求項１２１に記載の受動性ワクチン。
【請求項１２３】
生物学的サンプル中のＰｓｅｕｄｏｍｏｎａｓ  ａｅｒｕｇｉｎｏｓａの存在を検出するための方法であって、該サンプルを、請求項１、請求項１０２、請求項１０３、または請求項１１５〜１２０のいずれか１項に記載の抗体またはその抗原結合部分と接触させる工程を包含する、方法。
【手続補正２】
【補正対象書類名】明細書
【補正対象項目名】０１３３
【補正方法】変更
【補正の内容】
【０１３３】
（微生物の寄託）
ハイブリドーマ細胞株Ｓ２０、Ｈ１２、Ｃ３、およびＬＮ１Ｈ１０を、ブダペスト条約の取り決めに従って、アメリカンタイプカルチャーコレクション（ＡＴＣＣ）、１０８０１  Ｕｎｉｖｅｒｓｉｔｙ  Ｂｌｖｄ．，Ｍａｎｎｓｓａｓ，ＶＡ  ２０１１０−２２０９、ＵＳＡに寄託し、そして以下の登録番号を与えられた：
ハイブリドーマ  Ｓ２０        ＨＢ  ＰＴＡ−４０７３
ハイブリドーマ  Ｃ３          ＨＢ  ＰＴＡ−４０７５
ハイブリドーマ  Ｌｎ１Ｈ１０  ＨＢ  ＰＴＡ−４０７６。